(57)【要約】【課題】エレベータシステムにおいて、乗りかご内で炎が検出されたときに、乗りかご内の状況に応じて、的確な処理を行うことである。【解決手段】エレベータシステム１０において、かご戸１４を備える乗りかご１２には、人検出センサ３０、炎検出センサ３２、表示パネル２２、スピーカ２４、消火装置３４が設けられる。制御装置４０は、人検出センサ３０、炎検出センサ３２、かご戸１４、表示パネル２２、スピーカ２４、消火装置３４とそれぞれ接続される。そして、人検出センサ３０からの検出信号を取得する人検出取得部４２、炎検出センサ３２からの検出信号を取得する炎検出取得部４４、取得された検出信号に基づく危険程度に応じて、かご戸１４、表示パネル２２、スピーカ２４、消火装置３４に処理指令を与える炎事件処理部４６を含んで構成される。【選択図】図１
2012184096.tif 000002
【特許請求の範囲】
【請求項１】
昇降路内を昇降する乗りかごと、
乗りかご内の人の有無を検出する人検出手段と、
乗りかご内の炎を検知し、炎の程度に応じた検出信号を出力する炎検出手段と、
人検出手段が人を検出しているときに、炎検出手段の検出信号の大きさを含む検出状態の危険程度に応じて炎事件処理を行う処理手段と、
を備えることを特徴とするエレベータシステム。
【請求項２】
請求項１に記載のエレベータシステムにおいて、
処理手段は、
炎検出手段が炎を検出し、炎検出手段の検出状態の危険程度が予め定めた第１閾値条件以下のときに警報を出力し、
炎検出手段の検出状態が第１閾値条件を超え、第１閾値条件よりも危険程度が大きいものとして予め定めた第２閾値条件以下のときに、乗りかごを最寄階に停止させ、かご戸を開いて乗りかごから退避する誘導報知を出力し、
炎検出手段の検出状態が第２閾値条件を超えるときに、炎が外部に広がらないように、予め定めたかご戸閉じ状態にかご戸を閉じるかご戸閉じ処理を行うことを特徴とするエレベータシステム。
【請求項３】
請求項２に記載のエレベータシステムにおいて、
処理手段は、
誘導報知を出力した後、予め定めた余裕時間を経過し、人検出手段が依然として人を検出するときは、重度警告を出力することを特徴とするエレベータシステム。
【請求項４】
請求項２に記載のエレベータシステムにおいて、
処理手段は、
誘導報知を出力した後、予め定めた余裕時間を経過し、人検出手段が依然として人を検出するときは、消火装置を作動させることを特徴とするエレベータシステム。
【請求項５】
請求項４に記載のエレベータシステムにおいて、
乗りかごの天井部に粉末消火器を備え、
処理手段は、
粉末消化器から延び、先端に消火剤を放出するための操作部を有する消火ホースを、乗りかごの天井部から下降させることを特徴とするエレベータシステム。
【請求項６】
請求項４に記載のエレベータシステムにおいて、
乗りかごの天井部に設けられる粉末消火器と、
粉末消火器から延び、乗りかごの天井部の隅部に設けられる消火剤放出口に接続される消火剤導入路と、
を備え、
処理手段は、
消火剤放出口から粉末消化剤を乗りかご内に放出させることを特徴とするエレベータシステム。
【発明の詳細な説明】
【技術分野】
【０００１】
本発明は、エレベータシステムに係り、特に、乗りかごの内における炎検出を行うエレベータシステムに関する。
【背景技術】
【０００２】
エレベータは、建物を縦方向に縦貫する昇降路の中を、運行指示に従って乗りかごを昇降させる昇降装置である。このように、乗りかごは、建物の中でも周りから隔離された昇降路内を移動し、また乗りかご自体も周りから隔離された空間である。したがって、乗りかご内で、喫煙、タバコによるいたずら等があると、火災発生の危険等があるので、炎の的確な検出と、それに伴う処理が必要である。
【０００３】
特許文献１には、エレベータ悪戯防止装置として、照明電球の光波長領域と太陽光の光波長領域とに重ならず、炎の光波長領域を含む波長領域の光を検出する紫外線検出装置を用いて、乗りかご内の炎を検出することが開示されている。
【０００４】
特許文献２には、光によるタバコ感知器に関し、プランクの放射則から、人体の温度を最高４０℃としたときの赤外線の波長が７〜９μｍで、タバコの火の温度を７５０℃から９００℃としたときの赤外線の波長が２．５μｍ〜３．５μｍであることを述べている。そして、この波長の差に基づいて、適当なフィルタを用いることで、人を感知せず、タバコの火を感知することができると述べている。
【先行技術文献】
【特許文献】
【０００５】
【特許文献１】特開昭６１−１７８３８５号公報
【特許文献２】特開２０００−４８２７５号公報
【発明の概要】
【発明が解決しようとする課題】
【０００６】
従来技術を組み合わせれば、乗りかご内の喫煙、タバコの炎等を検出することができる。乗りかご内の喫煙、タバコの炎が検出されると、警報を出力することや、監視センタ等に通報すること等の処理を行うことが考えられる。その際に、エレベータシステムの安全確保の他に、乗りかご内の他の乗客の安全や、いたずらの場合にそれを止めさせること等、乗りかご内の状況に応じた処理を行うことが必要である。
【０００７】
本発明の目的は、乗りかご内で炎が検出されたときに、乗りかご内の状況に応じて、的確な処理を行うことを可能にするエレベータシステムを提供することである。
【課題を解決するための手段】
【０００８】
本発明に係るエレベータシステムは、昇降路内を昇降する乗りかごと、乗りかご内の人の有無を検出する人検出手段と、乗りかご内の炎を検知し、炎の程度に応じた検出信号を出力する炎検出手段と、人検出手段が人を検出しているときに、炎検出手段の検出信号の大きさを含む検出状態の危険程度に応じて炎事件処理を行う処理手段と、を備えることを特徴とする。
【０００９】
また、本発明に係るエレベータシステムにおいて、処理手段は、炎検出手段が炎を検出し、炎検出手段の検出状態の危険程度が予め定めた第１閾値条件以下のときに警報を出力し、炎検出手段の検出状態が第１閾値条件を超え、第１閾値条件よりも危険程度が大きいものとして予め定めた第２閾値条件以下のときに、乗りかごを最寄階に停止させ、かご戸を開いて乗りかごから退避する誘導報知を出力し、炎検出手段の検出状態が第２閾値条件を超えるときに、炎が外部に広がらないように、予め定めたかご戸閉じ状態にかご戸を閉じるかご戸閉じ処理を行うことが好ましい。
【００１０】
また、本発明に係るエレベータシステムにおいて、処理手段は、誘導報知を出力した後、予め定めた余裕時間を経過し、人検出手段が依然として人を検出するときは、重度警告を出力することが好ましい。
【００１１】
また、本発明に係るエレベータシステムにおいて、処理手段は、誘導報知を出力した後、予め定めた余裕時間を経過し、人検出手段が依然として人を検出するときは、消火装置を作動させることが好ましい。
【００１２】
また、本発明に係るエレベータシステムにおいて、乗りかごの天井部に粉末消火器を備え、処理手段は、処理手段は、粉末消化器から延び、先端に消火剤を放出するための操作部を有する消火ホースを、乗りかごの天井部から下降させることが好ましい。
【００１３】
また、本発明に係るエレベータシステムにおいて、乗りかごの天井部に設けられる粉末消火器と、粉末消火器から延び、乗りかごの天井部の隅部に設けられる消火剤放出口に接続される消火剤導入路と、を備え、処理手段は、消火剤放出口から粉末消化剤を乗りかご内に放出させることが好ましい。
【発明の効果】
【００１４】
上記構成により、エレベータシステムは、乗りかご内に人がいることを検出しているときに、炎検出手段の検出信号の大きさを含む検出状態の危険程度に応じて炎事件処理を行う。これによって、炎が検出されたときに、乗りかご内の状況に応じた処理を的確に行うことができる。
【００１５】
また、エレベータシステムにおいて、炎検出手段が炎を検出し、炎検出手段の検出状態の危険程度が予め定めた第１閾値条件以下のときに警報を出力し、炎検出手段の検出状態が第１閾値条件を超え、第１閾値条件よりも危険程度が大きいものとして予め定めた第２閾値条件以下のときに、乗りかごを最寄階に停止させ、かご戸を開いて乗りかごから退避する誘導報知を出力し、炎検出手段の検出状態が第２閾値条件を超えるときに、炎が外部に広がらないように、予め定めたかご戸閉じ状態にかご戸を閉じるかご戸閉じ処理を行う。このように、炎が検出されたときに、乗りかご内の状況に応じて、段階的な処理を行うことができる。
【００１６】
また、エレベータシステムにおいて、誘導報知を出力した後、予め定めた余裕時間を経過し、人検出手段が依然として人を検出するときは、重度警告を出力する。炎の発生が乗りかご内の乗客によるいたずら等の場合は、単に音声やディスプレイで警告を出力しても、いたずらを止めないことが考えられる。このようなときは、重度警告によって、効果的にいたずらを止めさせることができる。重度警告としては、例えば、フラッシュを連続的に浴びせる、止めないときに公的機関に通報する旨を伝える等を行う。
【００１７】
また、エレベータシステムにおいて、誘導報知を出力した後、予め定めた余裕時間を経過し、人検出手段が依然として人を検出するときは、消火装置を作動させる。まだ残留している人は、いたずら等を止めない可能性がある。そのような場合に消火装置を作動させることで、仮にその人がいて、その人に消火処理の影響が及ぶかもしれないが、火災になることを防止することができる。
【００１８】
また、エレベータシステムにおいて、乗りかごの天井部に粉末消火器を備えて、乗りかごの天井部から消火ホースを下降させる。消火ホースには消火剤を放出するための操作部
が設けられているので、乗りかご内の人の判断で、消火活動を行うことができる。なお、粉末消火器とするのは、乗りかごが電気機器を備えているので、放水による消火が好ましくないからである。
【００１９】
また、エレベータシステムにおいて、乗りかごの天井部に粉末消火器を備え、乗りかごの天井部の隅部に設けられる消火剤放出口から粉末消化剤を乗りかご内に放出させる。これにより、火災の発生等を抑制できる。なお、乗りかごの天井の隅部に消火剤放出口を設けるものとするのは、以下の理由による。すなわち、乗りかごの天井にはパネル等が設けられ、二重天井を構成する場合があるが、その場合でもパネルの周辺は隙間がある。また、天井の隅部には換気用の開口があることが多い。このように、消火剤を放出するために利用できる構成は、天井の隅部に多いためである。
【図面の簡単な説明】
【００２０】
【図１】本発明に係る実施の形態のエレベータシステムの構成を説明する図である。
【図２】本発明に係る実施の形態において、乗りかご内に炎が検出されるときの処理の手順を説明するフローチャートである。
【発明を実施するための形態】
【００２１】
以下に図面を用いて本発明に係る実施の形態につき、詳細に説明する。以下では、全ての図面において同様の要素には同一の符号を付し、重複する説明を省略する。また、本文中の説明においては、必要に応じそれ以前に述べた符号を用いるものとする。
【００２２】
図１は、エレベータシステム１０において、乗りかご１２の内部の様子を示す図である。ここでは、エレベータシステム１０の構成要素ではないが、乗りかご１２内の炎に関する状況を説明するため、タバコ６を吸っている乗客８が図示されている。
【００２３】
エレベータシステム１０は、建物の縦方向に縦貫する昇降路１１において、制御装置４０の運行制御部４８からの運行指示に従って、乗りかご１２の昇降制御を行う昇降システムである。乗りかご１２は、乗客を収容する昇降かごである。
【００２４】
乗りかご１２に設けられるかご戸１４は、乗りかご１２に乗客が出入する出入口に設けられる開閉扉である。乗りかご１２の天井に設けられる照明灯１６は、乗りかご１２内を照明する器具である。乗りかご１２の天井から吊り下げられるパネル板１８は、照明灯１６による照明を分散均一化する機能と、天井に設けられるその他の要素を乗客から見えないようにする機能等を有する透光性の化粧板である。パネル板１８は、乗りかご１２の内壁との間に適当な隙間が設けられる大きさに設定される。
【００２５】
乗りかご１２の内壁に設けられる操作盤２０は、乗りかご１２の行き先階を登録するための行き先階ボタン、かご戸１４を開閉する開閉ボタン等を含む操作パネルである。
【００２６】
乗りかご１２の内壁に取り付けられる表示パネル２２は、画像、文字等を用いて、乗りかご１２内の乗客に対するメッセージ等を表示するディスプレイである。表示パネル２２はカラー液晶パネル等を用いることができる。
【００２７】
乗りかご１２の内壁に取り付けられるスピーカ２４は、音声、音響を用いて、乗りかご１２内の乗客に対するアナウンス等を出力する発音体装置である。
【００２８】
乗りかご１２の天井部、すなわち、乗りかご１２の上部の外壁に設けられる換気部２６は、昇降路１１内の外気を乗りかご１２の内部に供給する機能を有する。換気部２６は、乗りかご１２の天井部の隅部に設けられる開口部２８の上に設置される。図１では、２つの換気部２６が図示されているが、換気部２６の数はこれ以外でもよい。例えば、１つでもよく、４つでもよい。換気部２６は単なる換気用の筒部であってもよく、これに適当な換気ファンを設けるものとしてもよい。
【００２９】
乗りかご１２の内部に設けられる人検出センサ３０は、乗りかご１２内の人の有無を検出する人検出手段である。人検出センサ３０としては、人から放射される赤外線を検出する赤外線センサを用いることができる。検出する赤外線の波長は、人の体温範囲に合わせた７〜９μｍとすることがよい。この波長範囲を選択的に検出するための適当なフィルタを設けることが好ましい。
【００３０】
乗りかご１２の内部に設けられる炎検出センサ３２は、乗りかご１２内の炎を検知し、炎の程度に応じた検出信号を出力する炎検出手段である。具体的には、タバコの炎を検出する機能を有するセンサである。炎検出センサ３２としては、炎から放射される赤外線または紫外線を検出する光センサを用いることができる。
【００３１】
赤外線を用いる場合、検出する光の波長は、タバコの炎温度範囲に合わせた２．５μｍ〜３．５μｍとすることがよい。紫外線を用いる場合は、照明灯１６の光の波長、太陽光の波長を避けた２００ｎｍ近辺とすることがよい。これらの波長範囲を選択的に検出するための適当なフィルタを設けることが好ましい。
【００３２】
人検出センサ３０と炎検出センサ３２とは、図１に示されるように、一体化構造とすることができる。これにより、集光レンズ等を共通化することが可能となり、フィルタの配置も段階的なものとでき、全体としてコンパクトな構成とすることができる。
【００３３】
乗りかご１２の天井部、ここでは、乗りかご１２の上部の外壁の外側に設けられる消火装置３４は、粉末消火剤を用いた消火器である。乗りかご１２内外には電気機器が多数設けられているので、放水による消火が好ましくないので、粉末消火剤を用いるものとしている。
【００３４】
消火剤導入路３６は、粉末消火器である消火装置３４から乗りかご１２の天井部に沿って延び、乗りかご１２の天井部の隅部に設けられる消火剤放出口に接続される管路である。消火剤放出口としては、換気部２６と乗りかご１２の天井部との間に設けられる開口部２８を用いることができる。
【００３５】
制御装置４０は、エレベータシステム１０を構成する要素を全体として制御し、乗りかご１２の運行を制御する機能を有する。ここでは、特に、乗りかご１２の内部に炎を検出したときに、その危険程度に応じた処理を行う機能を有する。かかる制御装置４０は、コンピュータあるいは専用の制御回路で構成することができる。制御装置４０は、昇降路１１の最上部等に設けられる機械室に設置される。その機能の一部を、乗りかご１２に設置される乗りかご制御装置に行わせるものとしてもよい。
【００３６】
制御装置４０は、乗りかご１２の運行制御を実行する運行制御部４８を含む。また、制御装置４０は、人検出センサ３０、炎検出センサ３２、かご戸１４、表示パネル２２、スピーカ２４、消火装置３４とそれぞれ接続される。そして、人検出センサ３０からの検出信号を取得する人検出取得部４２、炎検出センサ３２からの検出信号を取得する炎検出取得部４４、取得された検出信号に応じて、かご戸１４、表示パネル２２、スピーカ２４、消火装置３４に処理指令を与える炎事件処理部４６を含んで構成される。
【００３７】
かかる機能は、ソフトウェアを実行することで実現でき、具体的には、エレベータ運行制御プログラムを実行することで実現できる。
【００３８】
上記構成の作用、特に、制御装置４０の各機能のうち、運行制御部４８を除く部分について、図２を用いて詳細に説明する。図２は、乗りかご１２に炎が検出されるときに行われる処理の手順を示すフローチャートである。各手順は、エレベータ運行制御プログラムの中の炎事件処理に関する部分の処理手順にそれぞれ対応する。
【００３９】
図２において、まず、乗りかご１２内における人の有無が判断される（Ｓ１０）。この手順は、制御装置４０の人検出取得部４２の機能によって実行される。具体的には、人検出センサ３０の検出信号が取得され、その内容にしたがって、乗りかご１２内の人の有無が判断される。人検出センサ３０として赤外線センサを用いるときは、人から放射される赤外線が検出された内容の検出信号を取得したときに、乗りかご１２内に人がいると判断することができる。
【００４０】
Ｓ１０で判断が肯定されると、次に、乗りかご１２内における炎の有無が判断される（Ｓ１２）。この手順は、制御装置４０の炎検出取得部４４の機能によって実行される。具体的には、炎検出センサ３２の検出信号が取得され、その内容にしたがって、乗りかご１２内の炎の有無が判断される。炎検出センサ３２として赤外線センサを用いるときは、タバコ６の炎から放射される赤外線が検出された内容の検出信号を取得したときに、乗りかご１２内に炎が検出されると判断することができる。
【００４１】
Ｓ１２で判断が肯定されると、次に、炎検出センサ３２の検出信号の大きさを含む検出状態の危険程度に応じて炎事件に対する処理が行われる。この処理の詳細な内容は以下に述べるが、これらの処理は、制御装置４０の炎事件処理部４６の機能によって実行される。
【００４２】
検出状態の危険程度は、いくつかの閾値条件によって分類される。最初に、炎が検出されるが、その危険程度が予め定めた第１閾値条件以下であるか否かが判断される（Ｓ１４）。炎検出センサ３２が赤外線センサの場合は、その検出信号は、予め定めた波長の光の強度が出力の大きさとなるので、炎が盛んなときは検出信号が大きく、小さい炎のときは検出信号が小さい。そこで、第１閾値条件としては、炎検出センサ３２の検出信号の大きさが小さく、そのままにしておいても火災に至る恐れがほとんどない程度とすることができる。
【００４３】
Ｓ１４で判断が肯定されるときは、炎が検出されるが、火災の恐れがほとんどないときである。例えば、図１に示されるように、乗客８が乗りかご１２に１人であるので、タバコ６をたまたま吸っている場合等が考えられる。そこで、そのような場合にタバコ６をすうことを止めさせるために、警告が出力される（Ｓ１６）。具体的には、「火気が検出されます。タバコをお吸いの場合は直ちに消して下さい。」旨のメッセージを、表示パネル２２、スピーカ２４を介して出力する。Ｓ１６の後は再びＳ１４に戻る。Ｓ１４において、炎検出が続く場合は、警報が繰り返し出力される。
【００４４】
Ｓ１４で判断が否定されると、検出状態の危険程度が第１閾値条件を超えていることになるので、次に誘導報知が行われる（Ｓ１８）。誘導報知処理は、運行中の乗りかご１２を最寄階に停止させ、かご戸１４を開いて、乗りかご１２内の乗客を、炎の検出される乗りかご１２から退避させるために行われる。誘導報知自体は、例えば、「火気が検出されましたので、最寄階に停止します。かご戸を開きますので、順序よく、最寄階に避難して下さい。」旨のメッセージを、表示パネル２２、スピーカ２４を介して出力する。
【００４５】
Ｓ１８の後は、予め設定された余裕時間を待機する。余裕時間は、乗りかご１２が最寄階に停止し、かご戸１４を開いて、乗りかご１２内の乗客が最寄階に降りて退避するために必要な時間として設定される。例えば、メッセージの出力の後の２分程度を、余裕時間として設定することができる。
【００４６】
余裕時間が経過すると、人検出センサ３０の検出信号と炎検出センサ３２の検出信号を改めて参照する。そこで、なおも乗りかご１２に人が検出され、炎も検出されるときは、重度警告を出力する。これは、検出されたその人がいたずらをして炎を発生させた可能性があるために、改めて強く警告して、炎を発生させることを止めさせるためである。重度警告としては、図１では図示されていないフラッシュ装置を作動させて、強いフラッシュを連続的に出力する。あるいは、スピーカ２４から大きな警告音を出力する。あるいは、「炎をすぐに消して下さい。消さない場合には、公共機関に通告します。」旨の強いメッセージを、表示パネル２２、スピーカ２４を介して出力する。
【００４７】
重度警告の後、あるいは重度警告と同時に、危険程度が第１閾値条件を超え、さらに予め定めた第２閾値条件以下であるか否かが判断される（Ｓ２２）。第２閾値条件は、第１閾値条件よりも危険程度が大きい状態を示す条件である。第１閾値条件は、炎検出センサ３２の検出信号の大きさが小さく、そのままにしておいても火災に至る恐れがほとんどない程度としたので、第２閾値条件としては、炎検出センサ３２の検出信号の大きさがかなり大きく、乗りかご１２内が炎に包まれた火災状態であることとできる。
【００４８】
Ｓ２２の判断が否定されるときは、乗りかご１２内が炎に包まれてはいないが、そのままにすると火災の恐れがあるときである。したがって、消火処理が行われる（Ｓ２４）。このときに、人が検出されていて、消火処理の影響がその人に及ぶ可能性がある場合であっても、消火処理を優先するため、この処理は実行される。具体的には、消火装置３４に
消火剤導入路３６を介して、消火剤放出口である開口部２８から粉末消火剤を乗りかご１２内に放出させる。
【００４９】
他の消火処理として、消火装置３４から消火ホースを延ばして、乗りかご１２内に降下させてもよい。消火ホースの先端には消火剤を放出するための操作部を設ける。乗りかご１２内に人がいる場合には、この消火処理が効果的である。例えば、重度警告で「炎をすぐに消して下さい。」とメッセージを出力し、その後に消火ホースを下降させ、「消火ホースの先端の操作部を開くと、粉末消火剤が出ます。消火ホースの先端を炎に向けて下さい。」等のメッセージを出力して、炎消火を誘導することができる。
【００５０】
Ｓ２４の後は、炎検出センサ３２の検出信号を参照して、炎が消えたか否かが判断される（Ｓ２６）。炎が消えていない場合は、Ｓ２２に戻り、Ｓ２２の判断が否定されると、消火処理が継続される。
【００５１】
Ｓ２２で判断が肯定されると、乗りかご１２内が炎に包まれている状態であるので、かご戸１４を閉じる処理が行われる（Ｓ２８）。この処理を行う前に、誤判断を防ぐために、数分間の観察期間を置き、再度Ｓ２２の判断を行い、そこで再度判断が肯定されることを確認することがよい。
Ｓ２８の処理は、乗りかご１２内の炎を建物内に広げないようにするために行われる。かご戸１４は必ずしも密閉しなくても、炎が乗りかご１２の外に漏れない程度に閉じるものとしてもよい。このようにかご戸１４を少し開けておく方が、外部からの消火作業がやりやすくなる。Ｓ２２で判断が肯定されるときは、乗りかご１２の火災と考えられるので、火災報知機が作動され、異常事態信号が監視センタ等に急報される。
【００５２】
このように、上記構成によれば、乗りかご１２内の炎の状況に応じて、対応処理を段階的に適切に行うことができる。
【産業上の利用可能性】
【００５３】
本発明にかかるエレベータシステムは、人が乗降するエレベータの運行システムに利用できる。
【符号の説明】
【００５４】
６  タバコ、８  乗客、１０  エレベータシステム、１１  昇降路、１４  かご戸、１６  照明灯、１８  パネル板、２０  操作盤、２２  表示パネル、２４  スピーカ、２６  換気部、２８  開口部、３０  人検出センサ、３２  炎検出センサ、３４  消火装置、３６  消火剤導入路、４０  制御装置、４２  人検出取得部、４４  炎検出取得部、４６  炎事件処理部、４８  運行制御部。
【図１】
2012184096.tif 000003
【図２】
2012184096.tif 000004